(57)【要約】      （修正有）【課題】携帯型ゲーム機の機能を備えた移動玩具セットを提供する。【解決手段】移動玩具セットは、移動玩具と、移動玩具に取り付けられたビデオカメラと、ビデオカメラの画像を無線送信するための画像信号発信装置と、リモコン、ディスプレイ及び画像表示カードを含む無線受信装置と、携帯型ゲーム機とにより構成される。リモコンにゲーム機接続部を、携帯型ゲーム機に接続端を設置し、それらを接続できるようにすることにより、ゲーム機のディスプレイは、ラジコン玩具の進行状態を示すためのディスプレイとして利用することができ、製品の全体機能を向上させ、コストを節約できる。【選択図】図１
0003119198.tif 000002
【実用新案登録請求の範囲】
【請求項１】
携帯型ゲーム機の機能を備えた移動玩具セットであって、
移動玩具と、
前記移動玩具の所定位置に取り付けられ、前記移動玩具の進行方向の前方画像を撮影することができるビデオカメラと、
前記ビデオカメラによって撮影された画像を無線信号に変換して発信することができる画像信号発信装置と、
前記移動玩具の進行状態を無線操作することができ、画像表示カード及び無線受信装置が設けられるゲーム機接続部を有するリモコンと、
ディスプレイ及びゲームコントローラーを含む前記携帯型ゲーム機と、
を有し、
前記携帯型ゲーム機は、前記リモコンの前記ゲーム機接続部と接続できる接続端を有し、当該接続端によって前記ディスプレイと前記リモコンの前記画像表示カードは通信状態となり、また、前記無線受信装置は、前記画像信号発信装置から発せられた無線信号を受信することができる、
移動玩具セット。
【請求項２】
前記携帯型ゲーム機の前記接続端と前記リモコンの前記ゲーム機接続部は、凹溝と凸ブロックの組合せ構造である、
請求項１に記載の移動玩具セット。
【請求項３】
携帯型ゲーム機の機能を備えた移動玩具セットであって、
移動玩具と、
前記移動玩具の所定位置に取り付けられ、前記移動玩具の進行方向の前方画像を撮影することができるビデオカメラと、
前記ビデオカメラによって撮影された画像を無線信号に転換して発信することができる画像信号発信装置と、
前記移動玩具の進行状態を無線操作することができ、ゲーム機接続部が設けられるリモコンと、
ディスプレイ、画像表示カード、無線受信装置及びゲームコントローラーを含む携帯型ゲーム機と、
を有し、
前記携帯型ゲーム機は、前記リモコンゲーム機接続部と接続できる接続端を有し、前記無線受信装置は、前記画像信号発信装置から発せられた無線信号を受信することができる、
移動玩具セット。
【請求項４】
前記携帯型ゲーム機の前記接続端と前記リモコンの前記ゲーム機接続部は、凹溝と凸ブロックの組合せ構造である。
請求項３に記載の移動玩具セット。
【請求項５】
前記リモコンは、発信用アンテナ、複数の操作ボタン、レバーを含み、前記ゲーム機接続部によって、前記携帯型ゲーム機接続端と接続することができる、
請求項１または請求項３に記載の移動玩具セット。
【考案の詳細な説明】
【技術分野】
【０００１】
本考案は、移動玩具セットに関し、特に、携帯型ゲーム機の機能を備えた移動玩具セットに関する。
【背景技術】
【０００２】
ラジコン車、ラジコン飛行機、ラジコンボート等の一般的なリモコン式移動玩具を使って遊ぶ時、短距離だとよく見えるので、上手に操縦できるが、遠距離の場合は見え辛いので、精密な操縦が難しくなってくる。そのため、一部の業者はディスプレイとリモコンを結合させた構造形態を開発した。それは、前述の移動玩具のリモコンに一組のディスプレイと無線受信装置を設置し、さらに移動玩具に一組のビデオカメラと信号発信装置を増設し、ビデオカメラで撮影した移動玩具の進行時の前方画像は信号発信装置によってリモコンの無線受信装置に送られ、ディスプレイに映し出される。そうすれば、操縦者はディスプレイ画像のサポートでより正確にリモコンを操縦することができる。しかし、前述の構造は実際の使用経験から下記のような問題点が発見されている。
【０００３】
前述のディスプレイは移動玩具の操作のために設計されたもので、それ以外の機能はなく、他の製品に適用することもできないため、大多数のユーザーにとって、ディスプレイを増設することは大きな浪費であるように思われる。何と言っても、ディスプレイの増設は相当な費用を要するもので、単一機能しかなく、さほど必要性の高い機能（一部のユーザーは商品があまりにも高額のため、使用をあきらめることも）でなければ、商品の実用価値と人気は大幅に低下してしまう。
【０００４】
別の観点から見ると、現在、多くの子供はラジコン玩具と携帯型ゲーム機（例えば任天堂）を同時にもっているが、携帯型ゲーム機は、ラジコン玩具のリモコンと接続してディスプレイとして利用することができないため、不便性に欠けるうえ、無駄なコストが発生している。
【０００５】
よって、既存のリモコン式移動玩具に増設されたディスプレイ構造の問題点を改善し、多元的な機能を有し、より理想的な実用性を伴った新型構造を開発することは当業者の目指すところである。
【０００６】
考案者は、長年の関連製品の設計開発に携わってきた経験を活かし、上述の目標を達成すべく、工夫を凝らした設計を取り入れ、慎重に評価を重ねた後にやっとこのような実用性をもった考案を提案したのである。
【考案の開示】
【考案が解決しようとする課題】
【０００７】
本考案の目的は、携帯型ゲーム機の機能を備えた移動玩具セットを提供することにある。
【課題を解決するための手段】
【０００８】
上記の目的を達成するために、本考案の移動玩具セットは、移動玩具と、この移動玩具の所定位置に取り付けられ、この移動玩具の進行方向の前方画像を捉えることができるビデオカメラと、このビデオカメラによって撮影された画像を無線信号に転換して発信することができる画像信号発信装置と。前述の移動玩具の進行状態を無線操作することができるほか、ゲーム機接続部を有し、このゲーム機接続部に画像表示カード及び無線受信装置が設けられるリモコンと、ディスプレイ及びゲームコントローラーを含む携帯型ゲーム機とを有する。その携帯型ゲーム機は、前述のリモコンのゲーム機接続部と接続できる接続端を有し、この接続端によって、ディスプレイとリモコンの画像表示カードは通信状態となる。前述の無線受信装置は、前述の画像信号発信装置から発せられた無線信号を受信することができる。また、前述の画像表示カード及び無線受信装置は、ゲーム機接続端に内蔵できる構造である。
【考案の効果】
【０００９】
本考案で掲げる携帯型ゲーム機の機能を備えた移動玩具セットは、ディスプレイ、画像表示カード、無線受信装置及びゲームコントローラーをもつ携帯型ゲーム機と移動玩具のリモコンを結合させるという技術手法によって、携帯型ゲーム機をリモコンの画像ディスプレイとして利用できるだけでなく、単独使用時は、個々の本来の機能を果たすことができる。よって、本考案は、製品の全体機能を向上させ、コスト節約の目的を達成できる実用的かつ進歩性のあるものとなっている。
【００１０】
また、本考案の新型設計は、遊び好きの子供にとって、ゲーム機接続部を有するリモコンは、元々所有している携帯型ゲーム機に接続して必要とするリモコン画像表示機能を利用できるため、便利性と軽量化を兼ね備え、手頃な価格で利用できるものとなっている。
【考案を実施するための最良の形態】
【００１１】
次に、添付した図面を参照しながら、本考案の好適な実施形態を詳細に説明する。
【００１２】
第１、２、３図は、本考案における携帯型ゲーム機の機能を備えた移動玩具セットの好適な実施例を示す図である。
【００１３】
本実施例の移動玩具セットは、ラジコン車、ラジコン飛行機、ラジコンボート、各種玩具（例えばロボット、ロボット型電子ペット）等の移動玩具１０と、移動玩具１０の所定位置に取り付けられ、移動玩具１０の進行時の前方画像を捉えることができるビデオカメラと、ビデオカメラ２０によって撮影された画像を無線信号に転換して発信することができる画像信号発信装置３０と、移動玩具１０の進行状態を無線操作することができ、主な構成部品が一般の移動玩具のリモコンと同じで、発信用アンテナ及び複数の操作ボタン、レバー等を有するリモコン４０と、ディスプレイ５１及びゲームコントローラー５４を含み、ゲームコントローラー５４に一般の携帯型ゲーム機と同じように操作ボタン、レバー及び内部の電子回路制御等を有する携帯型ゲーム機５０とを含む。
【００１４】
無線受信装置５３及び画像表示カード５２は、内蔵式若しくは組合せ式のいずれの形態をとることができる。ここで言う“組合せ式”は、第３図のように無線受信装置５３及び画像表示カード５２が個別ユニット（例えば一枚のカードのようになるもの）となるもので、通信ケーブル５６を利用して互いに連結される。そして、“内蔵式”は無線受信装置５３と画像表示カード５２を全てゲーム機５０本体の内部に取り付け、本体と一体型になる構造のことを指す。このような技術は実現可能で、ＰＳＰ（ｐｌａｙｓｔａｔｉｏｎ  ｐｏｒｔａｂｌｅ）携帯型ゲーム機には既に採用されている。
【００１５】
無線受信装置５３と移動玩具１０に装着されたビデオカメラ２０の画像信号発信装置３０から発せられた無線信号の周波を整合し、確実に受信できるようにするため、携帯型ゲーム機５０の上に周波合わせ込み駆動ユニット（ソフト、ハード含む）を設置することもできる。
【００１６】
リモコン４０の操作パネルに凸ブロック形状のゲーム機接続部４１があり、ゲーム機接続部４１の中には、画像表示カード５２及び無線受信装置５３が設置される。
【００１７】
ゲーム機５０にはリモコン４０のゲーム機接続部４１と接続できる接続端５５があり、接続端５５は凹溝形状、ゲーム機接続部４１は凸ブロック形状となるため、両者を結合させると、ディスプレイ５１とリモコンの画像表示カード５２は通信状態となる。また、無線受信装置５３は前述のビデオカメラ２０の画像信号発信装置３０から発せられた無線信号を受け取ることができる。
【００１８】
上述の構造、設計に基づき、本考案の使用状況に関する説明を下記に示す。
【００１９】
本考案における携帯型ゲーム機５０は単独使用時、一般の携帯型ゲーム機５０としての機能を有し、ディスプレイ５１にゲーム画像を表示することができる。一方、リモコン４０はゲーム機５０に未接続の時、画像表示機能を除いて、一般のリモコン機能は全て備わる。移動玩具１０の画像表示機能を利用したい時は、携帯型ゲーム機５０の接続端５５をリモコン４０のゲーム機接続部４１に接続すれば、移動玩具１０の画像信号発信装置３０から発せられた画像無線信号は、携帯型ゲーム機５０の無線受信装置５３に送られ、画像表示カード５２の転換作用によって移動玩具１０の進行画像が表示される。
【００２０】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２１】
【図１】本考案の移動玩具セットの構造を示す斜視図である。
【図２】本考案の移動玩具セットの実施状態を示すイメージ図である。
【図３】本考案の移動玩具セットの局部構造を示す斜視図である。
【符号の説明】
【００２２】
１０  移動玩具
２０  ビデオカメラ
３０  画像信号発信装置
４０  リモコン
４１  ゲーム機接続部
５０  携帯型ゲーム機
５１  ディスプレイ
５２  画像表示カード
５３  無線受信装置
５４  ゲームコントローラー
５５  接続端
５６  通信ケーブル
【図１】
0003119198.tif 000003
【図２】
0003119198.tif 000004
【図３】
0003119198.tif 000005